(57)【要約】  逆浸透圧ろ過モジュール及びこれを含む逆浸透圧フィルタについて説明する。本発明による逆浸透圧ろ過モジュールの一実施例は、一方の側は開放され他方の側は閉塞された浄水排出路が内部に形成され、前記浄水排出路に連通する連通孔が外周に形成される浄水排出管と、浄水流動空間が内部に形成された逆浸透圧ろ過部材が、前記浄水流動空間が前記連通孔に連通するように前記浄水排出管に複数回巻き付けられてなる逆浸透圧ろ過部と、前記浄水排出管に複数回巻き付けられた前記逆浸透圧ろ過部材の間に水が流動する所定の流路が形成されるように前記逆浸透圧ろ過部の一方の側と他方の側とにそれぞれ備えられる第１及び第２の流路形成キャップと、を含んでいてもよい。
2021502886.tif 000002
【特許請求の範囲】
【請求項１】
一方の側は開放され他方の側は閉塞された浄水排出路が内部に形成され、前記浄水排出路に連通する連通孔が外周に形成される浄水排出管と、
浄水流動空間が内部に形成された逆浸透圧ろ過部材が、前記浄水流動空間が前記連通孔に連通するように前記浄水排出管に複数回巻き付けられてなる逆浸透圧ろ過部と、
前記浄水排出管に複数回巻き付けられた前記逆浸透圧ろ過部材の間に水が流動する所定の流路が形成されるように前記逆浸透圧ろ過部の一方の側と他方の側とにそれぞれ備えられる第１及び第２の流路形成キャップと、
を含む逆浸透圧ろ過モジュール。
【請求項２】
前記第１及び第２の流路形成キャップは、前記流路に流入した原水の一部が、前記逆浸透圧ろ過部材を通過して前記浄水流動空間に流動しながら浄水になった後に前記浄水流動空間を流動し、
前記逆浸透圧ろ過部材を通過できなかったためにろ過できなかった残りの原水である生活用水は、前記流路を流動しながら前記逆浸透圧ろ過部材をフラッシングするように構成される、請求項１に記載の逆浸透圧ろ過モジュール。
【請求項３】
前記第１流路形成キャップには、原水が流入するように前記流路に連絡される流入孔が形成され、
前記第２流路形成キャップには、前記流路から生活用水が排出されるように前記流路に連絡される排出孔が形成される、請求項２に記載の逆浸透圧ろ過モジュール。
【請求項４】
前記流入孔と排出孔とは、それぞれ前記第１流路形成キャップと第２流路形成キャップとにおいて円周方向に形成される、請求項３に記載の逆浸透圧ろ過モジュール。
【請求項５】
前記流入孔と排出孔とは、向かい合わずに互い違いに位置するように前記第１流路形成キャップと第２流路形成キャップとにおいてそれぞれ形成される、請求項４に記載の逆浸透圧ろ過モジュール。
【請求項６】
前記流入孔と排出孔とのうちの少なくとも一方は、前記第１流路形成キャップと第２流路形成キャップとにおいて複数の列で形成される、請求項５に記載の逆浸透圧ろ過モジュール。
【請求項７】
前記流入孔の列の数と前記排出孔の列の数とは同じである、請求項６に記載の逆浸透圧ろ過モジュール。
【請求項８】
前記排出孔の列の数が前記流入孔の列の数よりも多い、請求項６に記載の逆浸透圧ろ過モジュール。
【請求項９】
前記排出孔は、
前記流入孔と向かい合わずに互い違いに位置する孔と、
前記流入孔と向かい合うように配置された孔と、
を含む、請求項８に記載の逆浸透圧ろ過モジュール。
【請求項１０】
前記流入孔と向かい合わずに互い違いに位置する孔の孔径は、前記流入孔と向かい合うように配置された孔の孔径よりも大きく形成される、請求項９に記載の逆浸透圧ろ過モジュール。
【請求項１１】
前記流入孔と向かい合うように配置された孔の孔径は、前記流入孔と向かい合わずに互い違いに位置する孔の孔径の１０〜３０％に形成される、請求項１０に記載の逆浸透圧ろ過モジュール。
【請求項１２】
前記第１流路形成キャップには、前記逆浸透圧ろ過部の一方の側が挿入されて備えられ前記流入孔に連通する第１挿入部が形成され、
前記第２流路形成キャップには、前記逆浸透圧ろ過部の他方の側が挿入されて備えられ前記排出孔に連通する第２挿入部が形成される、請求項５に記載の逆浸透圧ろ過モジュール。
【請求項１３】
前記流入孔に連通しない前記第１挿入部の部分には、前記逆浸透圧ろ過部の一方の側の対応する部分を密封する密封材が充填される第１密封空間が形成され、
前記排出孔に連通しない前記第２挿入部の部分には、前記逆浸透圧ろ過部の他方の側の対応する部分を密封する密封材が充填される第２密封空間が形成される、請求項１２に記載の逆浸透圧ろ過モジュール。
【請求項１４】
前記第１挿入部には、前記第１密封空間の少なくとも一部を仕切る第１仕切り壁が形成され、
前記第２挿入部には、前記第２密封空間の少なくとも一部を仕切る第２仕切り壁が形成される、請求項１３に記載の逆浸透圧ろ過モジュール。
【請求項１５】
前記逆浸透圧ろ過部の一方の側と他方の側との少なくとも一部がそれぞれ前記第１及び第２の密封空間に挿入されて前記密封材が前記流入孔又は排出孔を介して漏れ出ることを防ぐように、前記逆浸透圧ろ過部の一方の側と他方の側とのうちの少なくとも一方に段付き部が形成される、請求項１４に記載の逆浸透圧ろ過モジュール。
【請求項１６】
前記第１流路形成キャップと第２流路形成キャップとのうちの少なくとも一方には、前記浄水排出管が貫通する貫通孔が形成される、請求項３に記載の逆浸透圧ろ過モジュール。
【請求項１７】
請求項３乃至請求項１６のうちのいずれか一項に記載の逆浸透圧ろ過モジュールと、
前記第１流路形成キャップの流入孔に連通する流入口、前記浄水排出管の浄水排出路の開放された一方の側に連通する浄水排出口、及び前記第２流路形成キャップの排出孔に連通する生活用水排出口、を備え、前記逆浸透圧ろ過モジュールが内部に備えられるハウジングと、
を含む逆浸透圧フィルタ。
【請求項１８】
前記逆浸透圧ろ過モジュールには前記ハウジングとの隙間を密封する密封部材が備えられて、前記流入口に流入した原水が前記逆浸透圧ろ過モジュールと前記ハウジングとの隙間を介して前記浄水排出口又は生活用水排出口に排出されることを防ぐ、請求項１７に記載の逆浸透圧フィルタ。
【発明の詳細な説明】
【技術分野】
【０００１】
本発明は、逆浸透圧ろ過モジュール及びこれを含む逆浸透圧フィルタに関する。
【背景技術】
【０００２】
逆浸透圧フィルタは、流入した原水をろ過して浄水を作る浄化フィルタのうちの一つであり、逆浸透圧フィルタに流入した原水の一部は逆浸透圧フィルタでろ過されて浄水として逆浸透圧フィルタから排出され、逆浸透圧フィルタでろ過できなかった残りの原水は生活用水として逆浸透圧フィルタから排出される。
【０００３】
逆浸透圧フィルタは、逆浸透圧ろ過モジュールと、逆浸透圧ろ過モジュールが内部に備えられるハウジングとを含む。
【０００４】
ハウジングには、原水が流入する流入口と、浄水が排出される浄水排出口と、生活用水が排出される生活用水排出口とが備えられる。逆浸透圧ろ過モジュールは、浄水排出管と、逆浸透圧ろ過部材とを含む。浄水排出管は、内部に一方の側が開放され、他方の側が閉塞された浄水排出路が形成され、外周に浄水排出路に連通する連通孔が形成される。逆浸透圧ろ過部材は、内部に浄水流動空間が形成され、浄水流動空間が浄水排出管の連通孔に連通するように浄水排出管に複数回巻き付けられる。このように、浄水排出管に複数回巻き付けられた逆浸透圧ろ過部材の間には水が流動する流路が形成される。
【０００５】
このような構成において、ハウジングの流入口を介して原水が流入すると、流入した原水は、浄水排出管に複数回巻き付けられた逆浸透圧ろ過部材の間に形成された流路を流動しながら、その一部は、逆浸透圧ろ過部材を通過して浄水空間に流動しながら浄水になった後に浄水流動空間を流動する。浄水流動空間を流動した浄水は、浄水排出管の連通孔を介して浄水排出管の浄水排出路に流入して浄水排出路を流動した後、ハウジングの浄水排出口を介して外部に排出される。
【０００６】
また、浄水排出管に複数回巻き付けられた逆浸透圧ろ過部材の間に形成された流路を流動しながら、逆浸透圧ろ過部材を通過できなかったが故にろ過できなかった残りの原水である生活用水は、ハウジングの生活用水排出口を介して外部に排出される。
【０００７】
従来、このような構成の逆浸透圧フィルタでは、逆浸透圧フィルタ、例えば逆浸透圧フィルタのハウジングの生活用水排出口にフラッシング用の水を別途に供給して逆浸透圧フィルタの逆浸透圧ろ過部材をフラッシングした。
【発明の概要】
【発明が解決しようとする課題】
【０００８】
本発明は、上述のような従来から発生する要求又は問題の少なくともいずれか一つを認識してなされたものである。
【０００９】
本発明の目的の一側面は、逆浸透圧フィルタの寿命を延長させることである。
【００１０】
本発明の目的の他の側面は、フラッシング用の水を別途に供給しなくても逆浸透圧フィルタの逆浸透圧ろ過部材をフラッシングできるようにすることである。
【００１１】
本発明の目的のまた他の側面は、浄水排出管に複数回巻き付けられた逆浸透圧ろ過部材を含む逆浸透圧ろ過部の一方の側と他方の側とにそれぞれ第１及び第２の流路形成キャップを備えることにより、逆浸透圧ろ過部材の間に水が流動する所定の流路を形成することである。
【課題を解決するための手段】
【００１２】
上記課題の少なくとも一つの課題を実現するための一実施形態に係る逆浸透圧ろ過モジュール及びこれを含む逆浸透圧フィルタは、次のような特徴を含むことができる。
【００１３】
本発明の一実施形態による逆浸透圧ろ過モジュールは、一方の側は開放され他方の側は閉塞された浄水排出路が内部に形成され、前記浄水排出路に連通する連通孔が外周に形成される浄水排出管と、浄水流動空間が内部に形成された逆浸透圧ろ過部材が、前記浄水流動空間が前記連通孔に連通するように前記浄水排出管に複数回巻き付けられてなる逆浸透圧ろ過部と、前記浄水排出管に複数回巻き付けられた前記逆浸透圧ろ過部材の間に水が流動する所定の流路が形成されるように前記逆浸透圧ろ過部の一方の側と他方の側とにそれぞれ備えられる第１及び第２の流路形成キャップと、を含んでいてもよい。
【００１４】
この場合には、前記第１及び第２の流路形成キャップは、前記流路に流入した原水の一部が、前記逆浸透圧ろ過部材を通過して前記浄水流動空間に流動しながら浄水になった後に前記浄水流動空間を流動し、前記逆浸透圧ろ過部材を通過できなかったためにろ過できなかった残りの原水である生活用水は、前記流路を流動しながら前記逆浸透圧ろ過部材をフラッシングするように構成されてもよい。
【００１５】
また、前記第１流路形成キャップには、原水が流入するように前記流路に連絡される流入孔が形成され、前記第２流路形成キャップには、前記流路から生活用水が排出されるように前記流路に連絡される排出孔が形成されてもよい。
【００１６】
そして、前記流入孔と排出孔とは、それぞれ前記第１流路形成キャップと第２流路形成キャップとにおいて円周方向に形成されてもよい。
【００１７】
また、前記流入孔と排出孔とは、向かい合わずに互い違いに位置するように前記第１流路形成キャップと第２流路形成キャップとにおいてそれぞれ形成されてもよい。
【００１８】
そして、前記流入孔と排出孔とのうちの少なくとも一方は、前記第１流路形成キャップと第２流路形成キャップとにおいて複数の列で形成されてもよい。
【００１９】
また、前記流入孔の列の数と前記排出孔の列の数は同じであってもよい。
【００２０】
そして、前記排出孔の列の数が前記流入孔の列の数よりも多くてもよい。
【００２１】
また、前記排出孔は、前記流入孔と向かい合わずに互い違いに位置する孔と、前記流入孔と向かい合うように配置された孔と、を含んでいてもよい。
【００２２】
そして、前記流入孔と向かい合わずに互い違いに位置する孔の孔径は、前記流入孔と向かい合うように配置された孔の孔径よりも大きく形成されてもよい。
【００２３】
また、前記流入孔と向かい合うように配置された孔の孔径は、前記流入孔と向かい合わずに互い違いに位置する孔の孔径の１０〜３０％に形成されてもよい。
【００２４】
そして、前記第１流路形成キャップには、前記逆浸透圧ろ過部の一方の側が挿入されて備えられ、前記流入孔に連通する第１挿入部が形成され、前記第２流路形成キャップには、前記逆浸透圧ろ過部の他方の側が挿入されて備えられ、前記排出孔に連通する第２挿入部が形成されてもよい。
【００２５】
また、前記流入孔に連通しない前記第１挿入部の部分には、前記逆浸透圧ろ過部の一方の側の対応する部分を密封する密封材が充填される第１密封空間が形成され、前記排出孔に連通しない前記第２挿入部の部分には、前記逆浸透圧ろ過部の他方の側の対応する部分を密封する密封材が充填される第２密封空間が形成されてもよい。
【００２６】
そして、前記第１挿入部には、前記第１密封空間の少なくとも一部を仕切る第１仕切り壁が形成され、前記第２挿入部には、前記第２密封空間の少なくとも一部を仕切る第２仕切り壁が形成されてもよい。
【００２７】
また、前記逆浸透圧ろ過部の一方の側と他方の側との少なくとも一部がそれぞれ前記第１及び第２の密封空間に挿入されて前記密封材が前記流入孔又は排出孔を介して漏れ出ることを防ぐように、前記逆浸透圧ろ過部の一方の側と他方の側とのうちの少なくとも一方に段付き部が形成されてもよい。
【００２８】
そして、前記第１流路形成キャップと第２流路形成キャップとのうちの少なくとも一方には、前記浄水排出管が貫通する貫通孔が形成されてもよい。
【００２９】
本発明の一実施形態による逆浸透圧フィルタは、前述した逆浸透圧ろ過モジュールと、前記第１流路形成キャップの流入孔に連通する流入口、前記浄水排出管の浄水排出路の開放された一方の側に連通する浄水排出口、及び前記第２流路形成キャップの排出孔に連通する生活用水排出口を備え、前記逆浸透圧ろ過モジュールが内部に備えられるハウジングと、を含んでいてもよい。
【００３０】
この場合には、前記逆浸透圧ろ過モジュールには前記ハウジングとの隙間を密封する密封部材が備えられて、前記流入口に流入した原水が前記逆浸透圧ろ過モジュールと前記ハウジングとの隙間を介して前記浄水排出口又は生活用水排出口に排出されることを防ぐことができる。
【発明の効果】
【００３１】
以上のように、本発明の実施例によれば、浄水排出管に複数回巻き付けられた逆浸透圧ろ過部材を含む逆浸透圧ろ過部の一方の側と他方の側とにそれぞれ第１及び第２の流路形成キャップを備えることにより、逆浸透圧ろ過部材の間に水が流動する所定の流路を形成することができる。
【００３２】
また、本発明の実施例によれば、フラッシング用の水を別途に供給しなくても逆浸透圧フィルタの逆浸透圧ろ過部材をフラッシングすることができる。
【００３３】
さらにまた、本発明の実施例によれば、逆浸透圧フィルタの寿命を延長させることができる。
【図面の簡単な説明】
【００３４】
【図１】本発明による逆浸透圧ろ過モジュールの一実施例を示す斜視図である。
【図２】本発明による逆浸透圧ろ過モジュールの一実施例の分解斜視図である。
【図３】図１のＩ−Ｉ’線に沿う断面図である。
【図４】本発明による逆浸透圧ろ過モジュールの浄水排出管から逆浸透圧ろ過部材を展開した状態を示す斜視図である。
【図５】本発明による逆浸透圧ろ過モジュールの一実施例の第１流路形成キャップと第２流路形成キャップの平面図、及び第１流路形成キャップと第２流路形成キャップにより逆浸透圧ろ過部の逆浸透圧ろ過部材の間に形成された所定の流路を水が流動しながらろ過されるか、または逆浸透圧ろ過部材をフラッシングすることを示す概念図である。
【図６】本発明による逆浸透圧ろ過モジュールの他の実施例の第１流路形成キャップと第２流路形成キャップの平面図、及び第１流路形成キャップと第２流路形成キャップにより逆浸透圧ろ過部の逆浸透圧ろ過部材の間に形成された所定の流路を水が流動しながらろ過されるか、または逆浸透圧ろ過部材をフラッシングすることを示す概念図である。
【図７】本発明による逆浸透圧ろ過モジュールの他の実施例の第１流路形成キャップと第２流路形成キャップの平面図、及び第１流路形成キャップと第２流路形成キャップにより逆浸透圧ろ過部の逆浸透圧ろ過部材の間に形成された所定の流路を水が流動しながらろ過されるか、または逆浸透圧ろ過部材をフラッシングすることを示す概念図である。
【図８】本発明による逆浸透圧ろ過モジュールの他の実施例の第１流路形成キャップと第２流路形成キャップの平面図、及び第１流路形成キャップと第２流路形成キャップにより逆浸透圧ろ過部の逆浸透圧ろ過部材の間に形成された所定の流路を水が流動しながらろ過されるか、または逆浸透圧ろ過部材をフラッシングすることを示す概念図である。
【図９】本発明による逆浸透圧ろ過モジュールの他の実施例の第１流路形成キャップと第２流路形成キャップの平面図、及び第１流路形成キャップと第２流路形成キャップにより逆浸透圧ろ過部の逆浸透圧ろ過部材の間に形成された所定の流路を水が流動しながらろ過されるか、または逆浸透圧ろ過部材をフラッシングすることを示す概念図である。
【図１０】本発明による逆浸透圧ろ過モジュールの他の実施例の第１流路形成キャップと第２流路形成キャップの平面図、及び第１流路形成キャップと第２流路形成キャップにより逆浸透圧ろ過部の逆浸透圧ろ過部材の間に形成された所定の流路を水が流動しながらろ過されるか、または逆浸透圧ろ過部材をフラッシングすることを示す概念図である。
【図１１】本発明による逆浸透圧フィルタの一実施例を示す斜視図である。
【図１２】本発明による逆浸透圧フィルタの一実施例の分解斜視図である。
【図１３】図１１のＩＩ−ＩＩ’線に沿う断面図である。
【発明を実施するための形態】
【００３５】
以下、上記のような本発明の特徴に対する理解を助けるために、本発明の実施例に係る逆浸透圧ろ過モジュール及びこれを含む逆浸透圧フィルタについてより詳細に説明する。
【００３６】
以下に説明する実施例は、本発明の技術的な特徴を理解させるのに最も適した実施例に基づいて説明し、説明する実施例により本発明の技術的な特徴が制限されるのではなく、説明する実施例のように本発明を具現することができるということを例示するものである。したがって、本発明は以下に説明する実施例を通じて本発明の技術範囲内で様々な変形実施が可能であり、このような変形実施例も本発明の技術範囲内に属するといえる。また、以下に説明する実施例の理解を助けるために、添付の図面に記載の符号において、各実施例において同じ作用をする構成要素のうち関連する構成要素は、同一または延長線上の数字で表記した。
【００３７】
逆浸透圧ろ過モジュール
【００３８】
以下、図１〜図１０を参照して本発明による逆浸透圧ろ過モジュールについて説明する。
【００３９】
図１は、本発明による逆浸透圧ろ過モジュールの一実施例を示す斜視図であり、図２は、本発明による逆浸透圧ろ過モジュールの一実施例の分解斜視図であり、図３は、図１のＩ−Ｉ’線に沿う断面図である。
【００４０】
また、図４は、本発明による逆浸透圧ろ過モジュールの浄水排出管から逆浸透圧ろ過部材を展開した状態を示す斜視図である。
【００４１】
そして、図５は、本発明による逆浸透圧ろ過モジュールの一実施例の第１流路形成キャップと第２流路形成キャップの平面図、及び第１流路形成キャップと第２流路形成キャップにより逆浸透圧ろ過部の逆浸透圧ろ過部材の間に形成された所定の流路を水が流動しながらろ過されるか、または逆浸透圧ろ過部材をフラッシングすることを示す概念図である。
【００４２】
また、図６〜図１０は、本発明による逆浸透圧ろ過モジュールの他の実施例の第１流路形成キャップと第２流路形成キャップとの平面図、及び第１流路形成キャップと第２流路形成キャップとにより逆浸透圧ろ過部の逆浸透圧ろ過部材の間に形成された所定の流路を水が流動しながらろ過されるか、または逆浸透圧ろ過部材をフラッシングすることを示す概念図である。
【００４３】
本発明による逆浸透圧ろ過モジュール１００は、浄水排出管２００と、逆浸透圧ろ過部３００と、第１及び第２の流路形成キャップ４００，５００とを含んでいてもよい。
【００４４】
浄水排出管２００は、内部に浄水排出路２１０が形成されてもよい。図３に示すように、浄水排出路２１０の一方の側は開放され、他方の側は閉塞されてもよい。
【００４５】
浄水排出管２００の外周には、浄水排出路２１０に連通する連通孔２２０が形成されてもよい。連通孔２２０は、図２に示すように、浄水排出管２００の外周に浄水排出管２００の長さに沿って複数個が複数列で形成されてもよい。しかし、浄水排出管２００の外周に形成される連通孔２２０の配置構成と数は特に限定されるものではなく、浄水排出路２１０に連通する配置構成と数であれば、いずれの配置構成と数でも採用可能である。
【００４６】
逆浸透圧ろ過部３００は、図４に示すように、内部に浄水流動空間３１１が形成された逆浸透圧ろ過部材３１０が、浄水流動空間３１１が浄水排出管２００の連通孔２２０に連通するように浄水排出管２００に複数回巻き付けられてなっていてもよい。
【００４７】
このため、図２に示すように、逆浸透圧ろ過部３００は円筒形であってもよい。
【００４８】
逆浸透圧ろ過部３００の一方の側と他方の側とのうちの少なくとも一方には段付き部ＳＴが形成されてもよい。
【００４９】
逆浸透圧ろ過部３００の一方の側と他方の側とは、第１及び第２の流路形成キャップ４００，５００に形成される後述の第１及び第２の挿入部４２０，５２０にそれぞれ挿入されて備えられてもよい。また、第１及び第２の流路形成キャップ４００，５００には、後述するようにそれぞれ流入孔４１０と排出孔５１０が形成され、第１及び第２の挿入部４２０，５２０は、後述するように流入孔４１０と排出孔５１０とにそれぞれ連通してもよい。そして、流入孔４１０や排出孔５１０に連通しない第１挿入部４２０と第２挿入部５２０との部分には、後述するように、密封材ＳＬが充填される第１及び第２の密封空間ＳＳ１、ＳＳ２がそれぞれ形成されてもよい。
【００５０】
前述したように、逆浸透圧ろ過部３００の一方の側と他方の側のうちの少なくとも一方に段付け部ＳＴが形成されると、逆浸透圧ろ過部３００の一方の側と他方の側がそれぞれ第１及び第２の挿入部４２０，５２０に挿入されて備えられるときに、逆浸透圧ろ過部３００の一方の側と他方の側との少なくとも一部がそれぞれ第１及び第２の密封空間ＳＳ１、ＳＳ２に挿入されてもよい。
【００５１】
これにより、第１及び第２の密封空間ＳＳ１、ＳＳ２に充填される密封材ＳＬが、第１及び第２の流路形成キャップ４００，５００の流入孔４１０または排出孔５１０を介して漏れ出ることを防ぐことができる。その結果、逆浸透圧ろ過モジュール１００の製作が容易にできる。
【００５２】
第１及び第２の流路形成キャップ４００，５００を、逆浸透圧ろ過部３００の一方の側と他方の側とにそれぞれ具備して、浄水排出管２００に複数回巻き付けられた逆浸透圧ろ過部３００の逆浸透圧ろ過部材３１０の間に、図５〜図１０に示すように水が流動する所定の流路ＲＴを形成することができる。
【００５３】
このように、本発明による逆浸透圧ろ過モジュール１００は、第１及び第２の流路形成キャップ４００，５００を用いて、浄水排出管２００に複数回巻き付けられた逆浸透圧ろ過部３００の逆浸透圧ろ過部材３１０の間に水が流動する所定の流路ＲＴを形成することができる。
【００５４】
したがって、本発明による逆浸透圧ろ過モジュール１００を別途に製作することなく、既存の製品である、浄水排出管２００及び逆浸透圧ろ過部３００のみを含む逆浸透圧ろ過モジュール１００に、第１及び第２の流路形成キャップ４００，５００をさらに備えて本発明による逆浸透圧ろ過モジュール１００を製作することができる。
【００５５】
結果として、本発明による逆浸透圧ろ過モジュール１００を容易に製作することができる。
【００５６】
第１及び第２の流路形成キャップ４００，５００は、図５〜図１０に示すように、浄水排出管２００に複数回巻き付けられた逆浸透圧ろ過部材３１０の間に形成された所定の流路ＲＴに流入した原水の一部が、逆浸透圧ろ過部材３１０を通過して浄水流動空間３１１に流動しながら浄水になった後に浄水流動空間３１１を流動するように構成されてもよい。
【００５７】
逆浸透圧ろ過部材３１０の浄水流動空間３１１を流動した浄水は、図５〜図１０に示すように、浄水排出管２００の連通孔２２０を介して浄水排出管２００の浄水排出路２１０に流入して、浄水排出路２１０を介して外部に排出されてもよい。
【００５８】
また、第１及び第２の流路形成キャップ４００，５００は、図５〜図１０に示すように、浄水排出管２００に複数回巻き付けられた逆浸透圧ろ過部材３１０の間に形成された所定の流路ＲＴを流動しながら逆浸透圧ろ過部材３１０を通過できなかったためにろ過できなかった残りの原水である生活用水が、流路ＲＴを流動しながら逆浸透圧ろ過部材３１０をフラッシングするように構成されてもよい。
【００５９】
これにより、フラッシング用の水を別途に供給しなくても逆浸透圧ろ過部材３１０をフラッシングすることができ、逆浸透圧ろ過モジュール１００の寿命と、逆浸透圧ろ過モジュール１００を含む後述の逆浸透圧フィルタ１０の寿命とを延長させることができる。
【００６０】
逆浸透圧ろ過部材３１０をフラッシングした生活用水は、第２流路形成キャップ５００の排出孔５１０を介して外部に排出されてもよい。
【００６１】
第１流路形成キャップ４００には、図３と図５〜図１０に示すように流入孔４１０が形成されてもよい。流入孔４１０は、浄水排出管２００に複数回巻き付けられた逆浸透圧ろ過部材３１０の間に形成された所定の流路ＲＴに連結されてもよい。そして、流入孔４１０を介して、原水が、浄水排出管２００に複数回巻き付けられた逆浸透圧ろ過部材３１０の間に形成された所定の流路ＲＴに流入してもよい。
【００６２】
第２流路形成キャップ５００には、図１〜図３及び図５〜図１０に示すように排出孔５１０が形成されてもよい。排出孔５１０は、浄水排出管２００に複数回巻き付けられた逆浸透圧ろ過部材３１０の間に形成された所定の流路ＲＴに連結されてもよい。そして、排出孔５１０を介して、生活用水が、浄水排出管２００に複数回巻き付けられた逆浸透圧ろ過部材３１０の間に形成された所定の流路ＲＴから外部に排出されてもよい。
【００６３】
流入孔４１０と排出孔５１０とは、それぞれ第１流路形成キャップ４００と第２流路形成キャップ５００とに円周方向に沿って形成されてもよい。例えば、図５〜図１０に示すように、流入孔４１０と排出孔５１０とは、それぞれ第１流路形成キャップ４００と第２流路形成キャップ５００とにおいて、円周方向に沿って複数個が１つの列で形成されてもよい。
【００６４】
流入孔４１０と排出孔５１０とは、図３と図５〜図１０に示すように、第１流路形成キャップ４００と第２流路形成キャップ５００とにおいて、向かい合わずに互い違いに位置するようにそれぞれ形成されてもよい。
【００６５】
これにより、図５〜図１０に示すように、浄水排出管２００に複数回巻き付けられた逆浸透圧ろ過部材３１０の間に、一方の側と他方の側とがそれぞれ流入孔４１０と排出孔５１０とに連絡される比較的長い所定の流路ＲＴが形成されてもよい。
【００６６】
そして、これにより、浄水排出管２００に複数回巻き付けられた逆浸透圧ろ過部材３１０の間に形成された所定の流路ＲＴを流動しながら逆浸透圧ろ過部材３１０を通過できなかったためにろ過できなかった生活用水が、長い流路ＲＴを流動しながら逆浸透圧ろ過部材３１０を十分にフラッシングすることができる。
【００６７】
一方、図７〜図１０に示すように、流入孔４１０と排出孔５１０とのうちの少なくとも一方は、第１流路形成キャップ４００と第２流路形成キャップ５００とにおいて、複数の列で形成されてもよい。
【００６８】
この場合、図７及び図８に示すように、流入孔４１０の列の数と排出孔５１０の列の数とが同じであってもよい。これにより、浄水排出管２００に複数回巻き付けられた逆浸透圧ろ過部材３１０の間に複数の所定の流路ＲＴが形成されるため、流路ＲＴに水が停滞するデッドゾーン（Ｄｅａｄ  Ｚｏｎｅ）の形成を最小限に抑えることができ、流路ＲＴにおける水の円滑な流動を図ることができる。
【００６９】
また、図９及び図１０に示すように、排気孔５１０の列の数が前記流入孔４１０の列の数よりも多くてもよい。この場合、一部の流路ＲＴは、水が真っ直ぐ流れるように形成し、他の一部の流路ＲＴは、水が曲がって流れるように形成してもよい。このために、排出孔５１０は、流入孔４１０と向かい合わずに互い違いに位置する孔と、流入孔４１０と向かい合うように配置された孔とを含んでいてもよい。
【００７０】
これにより、排出孔５１０側の流路ＲＴの部分にデッドゾーンが形成されることを最小限に抑えることができ、その結果、流路ＲＴを流動した水、例えば生活用水を排出孔５１０を介して円滑に排出することができる。また、屈曲状の流路ＲＴは長いので、フラッシングの効果を高めることができ、ストレート状の流路ＲＴは短いので、圧力損失が少なく、デッドゾーンを減らすことができる。
【００７１】
このとき、屈曲状の流路ＲＴにより十分な流動を確保できるようにするために、屈曲状の流路ＲＴの出口に対応する排出孔５１０の大きさを、ストレート状の流路ＲＴの出口に対応する排出孔５１０の大きさよりも大きくすることが好ましい。この場合、ストレート状の流路ＲＴの出口に対応する排出孔５１０の大きさを、屈曲状の流路ＲＴの出口に対応する排出孔５１０の大きさの１０〜３０％にしてもよい。
【００７２】
第１流路形成キャップ４００には、図２に示すように第１挿入部４２０が形成されてもよい。第１挿入部４２０には、図３に示すように逆浸透圧ろ過部３００の一方の側が挿入されて備えられてもよい。また、第１挿入部４２０は流入孔４１０に連通されてもよい。
【００７３】
流入孔４１０に連通しない第１挿入部４２０の部分には、第１密封空間ＳＳ１が形成されてもよい。例えば、図２に示すように、第１挿入部４２０に、第１密封空間ＳＳ１の少なくとも一部を仕切る第１仕切り壁４２１を形成することにより、第１挿入部４２０に第１密封空間ＳＳ１を形成することができる。
【００７４】
第１密封空間ＳＳ１には密封材ＳＬが充填されてもよい。これにより、逆浸透圧ろ過部３００の一方の側が第１挿入部４２０に挿入されて備えられるとき、第１密封空間ＳＳ１に対応する逆浸透圧ろ過部３００の一方の側の部分が密封される。その結果、浄水排出管２００に複数回巻き付けられた逆浸透圧ろ過部材３１０の間に水が流動する所定の流路ＲＴが形成される。
【００７５】
第２流路形成キャップ５００には、図２に示すように第２挿入部５２０が形成されてもよい。第２挿入部５２０には、図３に示すように逆浸透圧ろ過部３００の他方の側が挿入されて備えられてもよい。また、第２挿入部５２０は排出孔５１０に連通されてもよい。
【００７６】
排出孔５１０に連通しない第２挿入部５２０の部分には、第２密封空間ＳＳ２が形成されてもよい。例えば、図２に示すように、第２挿入部５２０に、第２密封空間ＳＳ２の少なくとも一部を仕切る第２仕切り壁５２１を形成することにより、第２挿入部５２０に第２密封空間ＳＳ２を形成することができる。
【００７７】
第２密封空間ＳＳ２には密封材ＳＬが充填されてもよい。これにより、逆浸透圧ろ過部３００の他方の側が第２挿入部５２０に挿入されて備えられるとき、第２密封空間ＳＳ２に対応する逆浸透圧ろ過部３００の他方の側の部分が密封される。その結果、浄水排出管２００に複数回巻き付けられた逆浸透圧ろ過部材３１０の間に水が流動する所定の流路ＲＴが形成される。
【００７８】
一方、第１流路形成キャップ４００と第２流路形成キャップ５００のうちの少なくとも一方には、浄水排出管２００が貫通する貫通孔５３０が形成されてもよい。例えば、貫通孔５３０は、図２及び図３に示すように、第２流路形成キャップ５００に形成されてもよい。しかしながら、貫通孔５３０は、第１流路形成キャップ４００に形成されてもよく、第１流路形成キャップ４００と第２流路形成キャップ５００との両方に形成されてもよい。
【００７９】
逆浸透圧フィルタ
【００８０】
以下、図１１〜図１３を参照して、本発明による逆浸透圧フィルタについて説明する。
【００８１】
図１１は、本発明による逆浸透圧フィルタの一実施例を示す斜視図であり、図１２は、本発明による逆浸透圧フィルタの一実施例の分解斜視図であり、図１３は、図１１のＩＩ−ＩＩ’に沿う断面図である。
【００８２】
本発明による逆浸透圧フィルタ１０は、逆浸透圧ろ過モジュール１００と、ハウジング２０とを含んでいてもよい。
【００８３】
逆浸透圧ろ過モジュール１００については前述したので、以下では、これについての説明は省略する。
【００８４】
ハウジング２０には、内部に逆浸透圧ろ過モジュール１００が備えられてもよい。
【００８５】
例えば、ハウジング２０は、図１１〜図１３に示すように、第１ハウジング部材２１と、第２ハウジング部材２２とを含んでいてもよい。そして、逆浸透圧ろ過モジュール１００が、第１ハウジング部材２１と第２ハウジング部材２２とのうちのいずれか一方に挿入された状態で、第１ハウジング部材２１と第２ハウジング部材２２とを互いに連絡することにより、ハウジング２０の内部に逆浸透圧ろ過モジュール１００を備えてもよい。
【００８６】
しかし、逆浸透圧ろ過モジュール１００が内部に備えられるハウジング２０の構成は、特に限定されず、逆浸透圧ろ過モジュール１００が内部に備えられる構成であれば、周知のいずれの構成であってもよい。
【００８７】
ハウジング２０には、逆浸透圧ろ過モジュール１００の第１流路形成キャップ４００の流入孔４１０に連通する流入口２１ａと、逆浸透圧ろ過モジュール１００の浄水排出管２００の浄水排出路２１０の開放された一方の側に連通する浄水排出口２２ａと、第２流路形成キャップ５００の排出孔５１０に連通する生活用水排出口２２ｂとが備えられてもよい。
【００８８】
例えば、図１１〜図１３に示すように、流入口２１ａは第１ハウジング部材２１に備えられ、浄水排出口２２ａ及び生活用水排出口２２ｂは第２ハウジング部材２２に備えられてもよい。
【００８９】
ハウジング２０の流入口２１ａに流入した原水は、逆浸透圧ろ過モジュール１００の第１流路形成キャップ４００の流入孔４１０を介して、逆浸透圧ろ過モジュール１００の浄水排出管２００に複数回巻き付けられた逆浸透圧ろ過部材３１０の間に形成された所定の流路ＲＴに流入して流動することができる。
【００９０】
逆浸透圧ろ過モジュール１００の浄水排出管２００に複数回巻き付けられた逆浸透圧ろ過部材３１０の間に形成された所定の流路ＲＴに流入した原水の一部は、逆浸透圧ろ過部材３１０を通過して逆浸透圧ろ過部材３１０の浄水流動空間３１１に流動しながら浄水になった後に浄水流動空間３１１を流動することができる。
【００９１】
逆浸透圧ろ過部材３１０の浄水流動空間３１１を流動した浄水は、浄水排出管２００の連通孔２２０を介して浄水排出管２００の浄水排出路２１０に流入して浄水排出路２１０を流動した後、ハウジング２０の浄水排出口２２ａを介して外部に排出されてもよい。
【００９２】
一方、浄水排出管２００に複数回巻き付けられた逆浸透圧ろ過部材３１０の間に形成された所定の流路ＲＴを流動しながら逆浸透圧ろ過部材３１０を通過できなかったためにろ過できなかった残りの原水である生活用水は、流路ＲＴを流動しながら逆浸透圧ろ過部材３１０をフラッシングすることができる。
【００９３】
逆浸透圧ろ過部材３１０をフラッシングした生活用水は、逆浸透圧ろ過部材３１０の第２流路形成キャップ５００の排出孔５１０及びハウジング２０の生活用水排出口２２ｂを介して外部に排出されてもよい。
【００９４】
逆浸透圧ろ過モジュール１００には、ハウジング２０との隙間を密封する密封部材ＯＬが備えられてもよい。これにより、ハウジング２０の流入口２１ａに流入した原水が、逆浸透圧ろ過モジュール１００とハウジング２０との隙間を介してハウジング２０の浄水排出口２２ａ又は生活用水排出口２２ｂに排出されることを防ぐことができる。
【００９５】
このように、密封部材ＯＬだけで逆浸透圧ろ過モジュール１００とハウジング２０との隙間を密封できるので、逆浸透圧ろ過モジュール１００とハウジング２０との間の空きスペースを最小限に抑えることができる。従来の逆浸透圧フィルタ１０では、逆浸透圧ろ過モジュール１００とハウジング２０との間の空きスペースが比較的大きいため、逆浸透圧ろ過モジュール１００とハウジング２０との隙間を密封するために密封部材ＯＬに加えて他の構成要素を必要とした。しかし、本発明の逆浸透圧フィルタ１０では、前述したように逆浸透圧ろ過モジュール１００とハウジング２０との間の空きスペースを最小限に抑えることができるので、ハウジング２０の内部により大きな逆浸透圧ろ過モジュール１００を備えることができる。
【００９６】
以上のように、本発明による逆浸透圧ろ過モジュール及びこれを含む逆浸透圧フィルタによれば、浄水排出管に複数回巻き付けられた逆浸透圧ろ過部材を含む逆浸透圧ろ過部の一方の側と他方の側とにそれぞれ第１及び第２の流路形成キャップを備えることにより、逆浸透圧ろ過部材の間に水が流動する所定の流路を形成することができ、且つ、フラッシング用の水を別途に供給しなくても逆浸透圧フィルタの逆浸透圧ろ過部材をフラッシングすることができ、しかも、逆浸透圧フィルタの寿命を延長させることができる。
【００９７】
以上のように説明した逆浸透圧ろ過モジュール及びこれを含む逆浸透圧フィルタは、上述した実施例の構成が限定的に適用されるものではなく、上記実施例の様々な変形が可能になるように各実施例の全部または一部を選択的に組み合わせて構成することもできる。
【図１】
2021502886.tif 000003
【図２】
2021502886.tif 000004
【図３】
2021502886.tif 000005
【図４】
2021502886.tif 000006
【図５】
2021502886.tif 000007
【図６】
2021502886.tif 000008
【図７】
2021502886.tif 000009
【図８】
2021502886.tif 000010
【図９】
2021502886.tif 000011
【図１０】
2021502886.tif 000012
【図１１】
2021502886.tif 000013
【図１２】
2021502886.tif 000014
【図１３】
2021502886.tif 000015
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
一方の側は開放され他方の側は閉塞された浄水排出路が内部に形成され、前記浄水排出路に連通する連通孔が外周に形成される筒状の浄水排出管と、
浄水流動空間が内部に形成された逆浸透圧ろ過部材が、前記浄水流動空間が前記連通孔に連通するように前記浄水排出管と結合し、前記浄水排出管に複数回巻き付けられて円筒状を形成し、互いに向き合う前記逆浸透圧ろ過部材の外部面の間に水が流動する流路を形成する逆浸透圧ろ過部と、
前記逆浸透圧ろ過部の一方の側と結合し、前記逆浸透圧ろ過部の前記流路に原水が流入するように前記流路に連結される流入孔が形成される第１流路形成キャップと、
前記逆浸透圧ろ過部の他方の側と結合し、前記逆浸透圧ろ過部の前記流路から前記原水の中で逆浸透圧ろ過部材を通過できずにろ過できなかった残りの原水で構成される生活用水を排出するように前記流路に連結される排出孔が形成される第２流路形成キャップと、
を含み、
前記第１及び第２流路形成キャップは、前記流路に流入した原水の一部が前記逆浸透圧ろ過部材を通過して前記浄水流動空間に流動しながら浄水になった後に前記浄水流動空間を流動し、前記逆浸透圧ろ過部材を通過できずにろ過できなかった残りの原水である前記生活用水が前記流路を流動しながら前記逆浸透圧ろ過部材をフラッシングするように構成され、
（１）前記流入孔が前記浄水排出管の中心軸から半径方向に前記逆浸透圧ろ過部の外側流路に前記原水を供給するように前記半径方向の外側において前記第１流路形成キャップに形成され、前記排出孔が前記半径方向に前記逆浸透圧ろ過部の内側流路から前記生活用水を排出するために前記流入孔の前記半径方向への位置と重畳しない前記半径方向の内側において前記第２流路形成キャップに形成される、又は、
（２）前記流入孔が前記浄水排出管の中心軸から半径方向に前記逆浸透圧ろ過部の内側流路に前記原水を供給するように前記半径方向の内側において前記第１流路形成キャップに形成され、前記排出孔が前記半径方向に前記逆浸透圧ろ過部の外側流路から前記生活用水を排出するために前記流入孔の前記半径方向への位置と重畳しない前記半径方向の外側において前記第２流路形成キャップに形成される
ことを特徴とする、逆浸透圧ろ過モジュール。
【請求項２】
前記流入孔は、前記第１流路形成キャップにおいて円周方向に形成され、
前記排出孔は、前記第２流路形成キャップにおいて円周方向に形成される、請求項１に記載の逆浸透圧ろ過モジュール。
【請求項３】
前記第１流路形成キャップには、前記逆浸透圧ろ過部の一方の側が挿入されて備えられ前記流入孔に連通する第１挿入部が形成され、
前記第２流路形成キャップには、前記逆浸透圧ろ過部の他方の側が挿入されて備えられ前記排出孔に連通する第２挿入部が形成される、請求項１に記載の逆浸透圧ろ過モジュール。
【請求項４】
前記流入孔に連通しない前記第１挿入部の部分には、前記逆浸透圧ろ過部の一方の側の対応する部分を密封する密封材が充填される第１密封空間が形成され、
前記排出孔に連通しない前記第２挿入部の部分には、前記逆浸透圧ろ過部の他方の側の対応する部分を密封する密封材が充填される第２密封空間が形成される、請求項３に記載の逆浸透圧ろ過モジュール。
【請求項５】
前記第１挿入部には、前記第１密封空間の少なくとも一部を仕切る第１仕切り壁が形成され、
前記第２挿入部には、前記第２密封空間の少なくとも一部を仕切る第２仕切り壁が形成される、請求項４に記載の逆浸透圧ろ過モジュール。
【請求項６】
前記逆浸透圧ろ過部の一方の側と他方の側との少なくとも一部がそれぞれ前記第１及び第２の密封空間に挿入されて前記密封材が前記流入孔又は排出孔を介して漏れ出ることを防ぐように、前記逆浸透圧ろ過部の一方の側と他方の側とのうちの少なくとも一方に段付き部が形成される、請求項５に記載の逆浸透圧ろ過モジュール。
【請求項７】
前記第１流路形成キャップと第２流路形成キャップとのうちの少なくとも一方には、前記浄水排出管が貫通する貫通孔が形成される、請求項１に記載の逆浸透圧ろ過モジュール。
【請求項８】
請求項１乃至請求項７のうちのいずれか一項に記載の逆浸透圧ろ過モジュールと、
前記第１流路形成キャップの流入孔に連通する流入口、前記浄水排出管の浄水排出路の開放された一方の側に連通する浄水排出口、及び前記第２流路形成キャップの排出孔に連通する生活用水排出口、を備え、前記逆浸透圧ろ過モジュールが内部に備えられるハウジングと、
を含む逆浸透圧フィルタ。
【請求項９】
前記逆浸透圧ろ過モジュールには前記ハウジングとの隙間を密封する密封部材が備えられて、前記流入口に流入した原水が前記逆浸透圧ろ過モジュールと前記ハウジングとの隙間を介して前記浄水排出口又は前記生活用水排出口に排出されることを防ぐ、請求項８に記載の逆浸透圧フィルタ。
【手続補正２】
【補正対象書類名】明細書
【補正対象項目名】全文
【補正方法】変更
【補正の内容】
【発明の詳細な説明】
【技術分野】
【０００１】
本発明は、逆浸透圧ろ過モジュール及びこれを含む逆浸透圧フィルタに関する。
【背景技術】
【０００２】
逆浸透圧フィルタは、流入した原水をろ過して浄水を作る浄化フィルタのうちの一つであり、逆浸透圧フィルタに流入した原水の一部は逆浸透圧フィルタでろ過されて浄水として逆浸透圧フィルタから排出され、逆浸透圧フィルタでろ過できなかった残りの原水は生活用水として逆浸透圧フィルタから排出される。
【０００３】
逆浸透圧フィルタは、逆浸透圧ろ過モジュールと、逆浸透圧ろ過モジュールが内部に備えられるハウジングとを含む。
【０００４】
ハウジングには、原水が流入する流入口と、浄水が排出される浄水排出口と、生活用水が排出される生活用水排出口とが備えられる。逆浸透圧ろ過モジュールは、浄水排出管と、逆浸透圧ろ過部材とを含む。浄水排出管は、内部に一方の側が開放され、他方の側が閉塞された浄水排出路が形成され、外周に浄水排出路に連通する連通孔が形成される。逆浸透圧ろ過部材は、内部に浄水流動空間が形成され、浄水流動空間が浄水排出管の連通孔に連通するように浄水排出管に複数回巻き付けられる。このように、浄水排出管に複数回巻き付けられた逆浸透圧ろ過部材の間には水が流動する流路が形成される。
【０００５】
このような構成において、ハウジングの流入口を介して原水が流入すると、流入した原水は、浄水排出管に複数回巻き付けられた逆浸透圧ろ過部材の間に形成された流路を流動しながら、その一部は、逆浸透圧ろ過部材を通過して浄水空間に流動しながら浄水になった後に浄水流動空間を流動する。浄水流動空間を流動した浄水は、浄水排出管の連通孔を介して浄水排出管の浄水排出路に流入して浄水排出路を流動した後、ハウジングの浄水排出口を介して外部に排出される。
【０００６】
また、浄水排出管に複数回巻き付けられた逆浸透圧ろ過部材の間に形成された流路を流動しながら、逆浸透圧ろ過部材を通過できなかったが故にろ過できなかった残りの原水である生活用水は、ハウジングの生活用水排出口を介して外部に排出される。
【０００７】
従来、このような構成の逆浸透圧フィルタでは、逆浸透圧フィルタ、例えば逆浸透圧フィルタのハウジングの生活用水排出口にフラッシング用の水を別途に供給して逆浸透圧フィルタの逆浸透圧ろ過部材をフラッシングした。
【発明の概要】
【発明が解決しようとする課題】
【０００８】
本発明は、上述のような従来から発生する要求又は問題の少なくともいずれか一つを認識してなされたものである。
【０００９】
本発明の目的の一側面は、逆浸透圧フィルタの寿命を延長させることである。
【００１０】
本発明の目的の他の側面は、フラッシング用の水を別途に供給しなくても逆浸透圧フィルタの逆浸透圧ろ過部材をフラッシングできるようにすることである。
【００１１】
本発明の目的のまた他の側面は、浄水排出管に複数回巻き付けられた逆浸透圧ろ過部材を含む逆浸透圧ろ過部の一方の側と他方の側とにそれぞれ第１及び第２の流路形成キャップを備えることにより、逆浸透圧ろ過部材の間に水が流動する所定の流路を形成することである。
【課題を解決するための手段】
【００１２】
上記課題の少なくとも一つの課題を実現するための一実施形態に係る逆浸透圧ろ過モジュール及びこれを含む逆浸透圧フィルタは、次のような特徴を含むことができる。
【００１３】
本発明の一実施形態による逆浸透圧ろ過モジュールは、一方の側は開放され他方の側は閉塞された浄水排出路が内部に形成され、前記浄水排出路に連通する連通孔が外周に形成される浄水排出管と、浄水流動空間が内部に形成された逆浸透圧ろ過部材が、前記浄水流動空間が前記連通孔に連通するように前記浄水排出管に複数回巻き付けられてなる逆浸透圧ろ過部と、前記浄水排出管に複数回巻き付けられた前記逆浸透圧ろ過部材の間に水が流動する所定の流路が形成されるように前記逆浸透圧ろ過部の一方の側と他方の側とにそれぞれ備えられる第１及び第２の流路形成キャップと、を含んでいてもよい。
【００１４】
この場合には、前記第１及び第２の流路形成キャップは、前記流路に流入した原水の一部が、前記逆浸透圧ろ過部材を通過して前記浄水流動空間に流動しながら浄水になった後に前記浄水流動空間を流動し、前記逆浸透圧ろ過部材を通過できなかったためにろ過できなかった残りの原水である生活用水は、前記流路を流動しながら前記逆浸透圧ろ過部材をフラッシングするように構成されてもよい。
【００１５】
また、前記第１流路形成キャップには、原水が流入するように前記流路に連絡される流入孔が形成され、前記第２流路形成キャップには、前記流路から生活用水が排出されるように前記流路に連絡される排出孔が形成されてもよい。
【００１６】
そして、前記流入孔と排出孔とは、それぞれ前記第１流路形成キャップと第２流路形成キャップとにおいて円周方向に形成されてもよい。
【００１７】
また、前記流入孔と排出孔とは、向かい合わずに互い違いに位置するように前記第１流路形成キャップと第２流路形成キャップとにおいてそれぞれ形成されてもよい。
【００１８】
そして、前記第１流路形成キャップには、前記逆浸透圧ろ過部の一方の側が挿入されて備えられ、前記流入孔に連通する第１挿入部が形成され、前記第２流路形成キャップには、前記逆浸透圧ろ過部の他方の側が挿入されて備えられ、前記排出孔に連通する第２挿入部が形成されてもよい。
【００１９】
また、前記流入孔に連通しない前記第１挿入部の部分には、前記逆浸透圧ろ過部の一方の側の対応する部分を密封する密封材が充填される第１密封空間が形成され、前記排出孔に連通しない前記第２挿入部の部分には、前記逆浸透圧ろ過部の他方の側の対応する部分を密封する密封材が充填される第２密封空間が形成されてもよい。
【００２０】
そして、前記第１挿入部には、前記第１密封空間の少なくとも一部を仕切る第１仕切り壁が形成され、前記第２挿入部には、前記第２密封空間の少なくとも一部を仕切る第２仕切り壁が形成されてもよい。
【００２１】
また、前記逆浸透圧ろ過部の一方の側と他方の側との少なくとも一部がそれぞれ前記第１及び第２の密封空間に挿入されて前記密封材が前記流入孔又は排出孔を介して漏れ出ることを防ぐように、前記逆浸透圧ろ過部の一方の側と他方の側とのうちの少なくとも一方に段付き部が形成されてもよい。
【００２２】
そして、前記第１流路形成キャップと第２流路形成キャップとのうちの少なくとも一方には、前記浄水排出管が貫通する貫通孔が形成されてもよい。
【００２３】
本発明の一実施形態による逆浸透圧フィルタは、前述した逆浸透圧ろ過モジュールと、前記第１流路形成キャップの流入孔に連通する流入口、前記浄水排出管の浄水排出路の開放された一方の側に連通する浄水排出口、及び前記第２流路形成キャップの排出孔に連通する生活用水排出口を備え、前記逆浸透圧ろ過モジュールが内部に備えられるハウジングと、を含んでいてもよい。
【００２４】
この場合には、前記逆浸透圧ろ過モジュールには前記ハウジングとの隙間を密封する密封部材が備えられて、前記流入口に流入した原水が前記逆浸透圧ろ過モジュールと前記ハウジングとの隙間を介して前記浄水排出口又は生活用水排出口に排出されることを防ぐことができる。
【発明の効果】
【００２５】
以上のように、本発明の実施例によれば、浄水排出管に複数回巻き付けられた逆浸透圧ろ過部材を含む逆浸透圧ろ過部の一方の側と他方の側とにそれぞれ第１及び第２の流路形成キャップを備えることにより、逆浸透圧ろ過部材の間に水が流動する所定の流路を形成することができる。
【００２６】
また、本発明の実施例によれば、フラッシング用の水を別途に供給しなくても逆浸透圧フィルタの逆浸透圧ろ過部材をフラッシングすることができる。
【００２７】
さらにまた、本発明の実施例によれば、逆浸透圧フィルタの寿命を延長させることができる。
【図面の簡単な説明】
【００２８】
【図１】本発明による逆浸透圧ろ過モジュールの一実施例を示す斜視図である。
【図２】本発明による逆浸透圧ろ過モジュールの一実施例の分解斜視図である。
【図３】図１のＩ−Ｉ’線に沿う断面図である。
【図４】本発明による逆浸透圧ろ過モジュールの浄水排出管から逆浸透圧ろ過部材を展開した状態を示す斜視図である。
【図５】本発明による逆浸透圧ろ過モジュールの一実施例の第１流路形成キャップと第２流路形成キャップの平面図、及び第１流路形成キャップと第２流路形成キャップにより逆浸透圧ろ過部の逆浸透圧ろ過部材の間に形成された所定の流路を水が流動しながらろ過されるか、または逆浸透圧ろ過部材をフラッシングすることを示す概念図である。
【図６】本発明による逆浸透圧ろ過モジュールの他の実施例の第１流路形成キャップと第２流路形成キャップの平面図、及び第１流路形成キャップと第２流路形成キャップにより逆浸透圧ろ過部の逆浸透圧ろ過部材の間に形成された所定の流路を水が流動しながらろ過されるか、または逆浸透圧ろ過部材をフラッシングすることを示す概念図である。
【図７】本発明による逆浸透圧フィルタの一実施例を示す斜視図である。
【図８】本発明による逆浸透圧フィルタの一実施例の分解斜視図である。
【図９】図７のＩＩ−ＩＩ’線に沿う断面図である。
【発明を実施するための形態】
【００２９】
以下、上記のような本発明の特徴に対する理解を助けるために、本発明の実施例に係る逆浸透圧ろ過モジュール及びこれを含む逆浸透圧フィルタについてより詳細に説明する。
【００３０】
以下に説明する実施例は、本発明の技術的な特徴を理解させるのに最も適した実施例に基づいて説明し、説明する実施例により本発明の技術的な特徴が制限されるのではなく、説明する実施例のように本発明を具現することができるということを例示するものである。したがって、本発明は以下に説明する実施例を通じて本発明の技術範囲内で様々な変形実施が可能であり、このような変形実施例も本発明の技術範囲内に属するといえる。また、以下に説明する実施例の理解を助けるために、添付の図面に記載の符号において、各実施例において同じ作用をする構成要素のうち関連する構成要素は、同一または延長線上の数字で表記した。
【００３１】
逆浸透圧ろ過モジュール
【００３２】
以下、図１〜図６を参照して本発明による逆浸透圧ろ過モジュールについて説明する。
【００３３】
図１は、本発明による逆浸透圧ろ過モジュールの一実施例を示す斜視図であり、図２は、本発明による逆浸透圧ろ過モジュールの一実施例の分解斜視図であり、図３は、図１のＩ−Ｉ’線に沿う断面図である。
【００３４】
また、図４は、本発明による逆浸透圧ろ過モジュールの浄水排出管から逆浸透圧ろ過部材を展開した状態を示す斜視図である。
【００３５】
そして、図５は、本発明による逆浸透圧ろ過モジュールの一実施例の第１流路形成キャップと第２流路形成キャップの平面図、及び第１流路形成キャップと第２流路形成キャップにより逆浸透圧ろ過部の逆浸透圧ろ過部材の間に形成された所定の流路を水が流動しながらろ過されるか、または逆浸透圧ろ過部材をフラッシングすることを示す概念図である。
【００３６】
また、図６は、本発明による逆浸透圧ろ過モジュールの他の実施例の第１流路形成キャップと第２流路形成キャップとの平面図、及び第１流路形成キャップと第２流路形成キャップとにより逆浸透圧ろ過部の逆浸透圧ろ過部材の間に形成された所定の流路を水が流動しながらろ過されるか、または逆浸透圧ろ過部材をフラッシングすることを示す概念図である。
【００３７】
本発明による逆浸透圧ろ過モジュール１００は、浄水排出管２００と、逆浸透圧ろ過部３００と、第１及び第２の流路形成キャップ４００，５００とを含んでいてもよい。
【００３８】
浄水排出管２００は、内部に浄水排出路２１０が形成されてもよい。図３に示すように、浄水排出路２１０の一方の側は開放され、他方の側は閉塞されてもよい。
【００３９】
浄水排出管２００の外周には、浄水排出路２１０に連通する連通孔２２０が形成されてもよい。連通孔２２０は、図２に示すように、浄水排出管２００の外周に浄水排出管２００の長さに沿って複数個が複数列で形成されてもよい。しかし、浄水排出管２００の外周に形成される連通孔２２０の配置構成と数は特に限定されるものではなく、浄水排出路２１０に連通する配置構成と数であれば、いずれの配置構成と数でも採用可能である。
【００４０】
逆浸透圧ろ過部３００は、図４に示すように、内部に浄水流動空間３１１が形成された逆浸透圧ろ過部材３１０が、浄水流動空間３１１が浄水排出管２００の連通孔２２０に連通するように浄水排出管２００に複数回巻き付けられてなっていてもよい。
【００４１】
このため、図２に示すように、逆浸透圧ろ過部３００は円筒形であってもよい。
【００４２】
逆浸透圧ろ過部３００の一方の側と他方の側とのうちの少なくとも一方には段付き部ＳＴが形成されてもよい。
【００４３】
逆浸透圧ろ過部３００の一方の側と他方の側とは、第１及び第２の流路形成キャップ４００，５００に形成される後述の第１及び第２の挿入部４２０，５２０にそれぞれ挿入されて備えられてもよい。また、第１及び第２の流路形成キャップ４００，５００には、後述するようにそれぞれ流入孔４１０と排出孔５１０が形成され、第１及び第２の挿入部４２０，５２０は、後述するように流入孔４１０と排出孔５１０とにそれぞれ連通してもよい。そして、流入孔４１０や排出孔５１０に連通しない第１挿入部４２０と第２挿入部５２０との部分には、後述するように、密封材ＳＬが充填される第１及び第２の密封空間ＳＳ１、ＳＳ２がそれぞれ形成されてもよい。
【００４４】
前述したように、逆浸透圧ろ過部３００の一方の側と他方の側のうちの少なくとも一方に段付け部ＳＴが形成されると、逆浸透圧ろ過部３００の一方の側と他方の側がそれぞれ第１及び第２の挿入部４２０，５２０に挿入されて備えられるときに、逆浸透圧ろ過部３００の一方の側と他方の側との少なくとも一部がそれぞれ第１及び第２の密封空間ＳＳ１、ＳＳ２に挿入されてもよい。
【００４５】
これにより、第１及び第２の密封空間ＳＳ１、ＳＳ２に充填される密封材ＳＬが、第１及び第２の流路形成キャップ４００，５００の流入孔４１０または排出孔５１０を介して漏れ出ることを防ぐことができる。その結果、逆浸透圧ろ過モジュール１００の製作が容易にできる。
【００４６】
第１及び第２の流路形成キャップ４００，５００を、逆浸透圧ろ過部３００の一方の側と他方の側とにそれぞれ具備して、浄水排出管２００に複数回巻き付けられた逆浸透圧ろ過部３００の逆浸透圧ろ過部材３１０の間に、図５及び図６に示すように水が流動する所定の流路ＲＴを形成することができる。
【００４７】
このように、本発明による逆浸透圧ろ過モジュール１００は、第１及び第２の流路形成キャップ４００，５００を用いて、浄水排出管２００に複数回巻き付けられた逆浸透圧ろ過部３００の逆浸透圧ろ過部材３１０の間に水が流動する所定の流路ＲＴを形成することができる。
【００４８】
したがって、本発明による逆浸透圧ろ過モジュール１００を別途に製作することなく、既存の製品である、浄水排出管２００及び逆浸透圧ろ過部３００のみを含む逆浸透圧ろ過モジュール１００に、第１及び第２の流路形成キャップ４００，５００をさらに備えて本発明による逆浸透圧ろ過モジュール１００を製作することができる。
【００４９】
結果として、本発明による逆浸透圧ろ過モジュール１００を容易に製作することができる。
【００５０】
第１及び第２の流路形成キャップ４００，５００は、図５及び図６に示すように、浄水排出管２００に複数回巻き付けられた逆浸透圧ろ過部材３１０の間に形成された所定の流路ＲＴに流入した原水の一部が、逆浸透圧ろ過部材３１０を通過して浄水流動空間３１１に流動しながら浄水になった後に浄水流動空間３１１を流動するように構成されてもよい。
【００５１】
逆浸透圧ろ過部材３１０の浄水流動空間３１１を流動した浄水は、図５及び図６に示すように、浄水排出管２００の連通孔２２０を介して浄水排出管２００の浄水排出路２１０に流入して、浄水排出路２１０を介して外部に排出されてもよい。
【００５２】
また、第１及び第２の流路形成キャップ４００，５００は、図５及び図６に示すように、浄水排出管２００に複数回巻き付けられた逆浸透圧ろ過部材３１０の間に形成された所定の流路ＲＴを流動しながら逆浸透圧ろ過部材３１０を通過できなかったためにろ過できなかった残りの原水である生活用水が、流路ＲＴを流動しながら逆浸透圧ろ過部材３１０をフラッシングするように構成されてもよい。
【００５３】
これにより、フラッシング用の水を別途に供給しなくても逆浸透圧ろ過部材３１０をフラッシングすることができ、逆浸透圧ろ過モジュール１００の寿命と、逆浸透圧ろ過モジュール１００を含む後述の逆浸透圧フィルタ１０の寿命とを延長させることができる。
【００５４】
逆浸透圧ろ過部材３１０をフラッシングした生活用水は、第２流路形成キャップ５００の排出孔５１０を介して外部に排出されてもよい。
【００５５】
第１流路形成キャップ４００には、図３、図５及び図６に示すように流入孔４１０が形成されてもよい。流入孔４１０は、浄水排出管２００に複数回巻き付けられた逆浸透圧ろ過部材３１０の間に形成された所定の流路ＲＴに連結されてもよい。そして、流入孔４１０を介して、原水が、浄水排出管２００に複数回巻き付けられた逆浸透圧ろ過部材３１０の間に形成された所定の流路ＲＴに流入してもよい。
【００５６】
第２流路形成キャップ５００には、図１〜図３、図５及び図６に示すように排出孔５１０が形成されてもよい。排出孔５１０は、浄水排出管２００に複数回巻き付けられた逆浸透圧ろ過部材３１０の間に形成された所定の流路ＲＴに連結されてもよい。そして、排出孔５１０を介して、生活用水が、浄水排出管２００に複数回巻き付けられた逆浸透圧ろ過部材３１０の間に形成された所定の流路ＲＴから外部に排出されてもよい。
【００５７】
流入孔４１０と排出孔５１０とは、それぞれ第１流路形成キャップ４００と第２流路形成キャップ５００とに円周方向に沿って形成されてもよい。例えば、図５及び図６に示すように、流入孔４１０と排出孔５１０とは、それぞれ第１流路形成キャップ４００と第２流路形成キャップ５００とにおいて、円周方向に沿って複数個が１つの列で形成されてもよい。
【００５８】
流入孔４１０と排出孔５１０とは、図３、図５及び図６に示すように、第１流路形成キャップ４００と第２流路形成キャップ５００とにおいて、向かい合わずに互い違いに位置するようにそれぞれ形成されてもよい。
【００５９】
これにより、図５及び図６に示すように、浄水排出管２００に複数回巻き付けられた逆浸透圧ろ過部材３１０の間に、一方の側と他方の側とがそれぞれ流入孔４１０と排出孔５１０とに連絡される比較的長い所定の流路ＲＴが形成されてもよい。
【００６０】
そして、これにより、浄水排出管２００に複数回巻き付けられた逆浸透圧ろ過部材３１０の間に形成された所定の流路ＲＴを流動しながら逆浸透圧ろ過部材３１０を通過できなかったためにろ過できなかった生活用水が、長い流路ＲＴを流動しながら逆浸透圧ろ過部材３１０を十分にフラッシングすることができる。
【００６１】
第１流路形成キャップ４００には、図２に示すように第１挿入部４２０が形成されてもよい。第１挿入部４２０には、図３に示すように逆浸透圧ろ過部３００の一方の側が挿入されて備えられてもよい。また、第１挿入部４２０は流入孔４１０に連通されてもよい。
【００６２】
流入孔４１０に連通しない第１挿入部４２０の部分には、第１密封空間ＳＳ１が形成されてもよい。例えば、図２に示すように、第１挿入部４２０に、第１密封空間ＳＳ１の少なくとも一部を仕切る第１仕切り壁４２１を形成することにより、第１挿入部４２０に第１密封空間ＳＳ１を形成することができる。
【００６３】
第１密封空間ＳＳ１には密封材ＳＬが充填されてもよい。これにより、逆浸透圧ろ過部３００の一方の側が第１挿入部４２０に挿入されて備えられるとき、第１密封空間ＳＳ１に対応する逆浸透圧ろ過部３００の一方の側の部分が密封される。その結果、浄水排出管２００に複数回巻き付けられた逆浸透圧ろ過部材３１０の間に水が流動する所定の流路ＲＴが形成される。
【００６４】
第２流路形成キャップ５００には、図２に示すように第２挿入部５２０が形成されてもよい。第２挿入部５２０には、図３に示すように逆浸透圧ろ過部３００の他方の側が挿入されて備えられてもよい。また、第２挿入部５２０は排出孔５１０に連通されてもよい。
【００６５】
排出孔５１０に連通しない第２挿入部５２０の部分には、第２密封空間ＳＳ２が形成されてもよい。例えば、図２に示すように、第２挿入部５２０に、第２密封空間ＳＳ２の少なくとも一部を仕切る第２仕切り壁５２１を形成することにより、第２挿入部５２０に第２密封空間ＳＳ２を形成することができる。
【００６６】
第２密封空間ＳＳ２には密封材ＳＬが充填されてもよい。これにより、逆浸透圧ろ過部３００の他方の側が第２挿入部５２０に挿入されて備えられるとき、第２密封空間ＳＳ２に対応する逆浸透圧ろ過部３００の他方の側の部分が密封される。その結果、浄水排出管２００に複数回巻き付けられた逆浸透圧ろ過部材３１０の間に水が流動する所定の流路ＲＴが形成される。
【００６７】
一方、第１流路形成キャップ４００と第２流路形成キャップ５００のうちの少なくとも一方には、浄水排出管２００が貫通する貫通孔５３０が形成されてもよい。例えば、貫通孔５３０は、図２及び図３に示すように、第２流路形成キャップ５００に形成されてもよい。しかしながら、貫通孔５３０は、第１流路形成キャップ４００に形成されてもよく、第１流路形成キャップ４００と第２流路形成キャップ５００との両方に形成されてよい。
【００６８】
逆浸透圧フィルタ
【００６９】
以下、図７〜図９を参照して、本発明による逆浸透圧フィルタについて説明する。
【００７０】
図７は、本発明による逆浸透圧フィルタの一実施例を示す斜視図であり、図８は、本発明による逆浸透圧フィルタの一実施例の分解斜視図であり、図９は、図７のＩＩ−ＩＩ’に沿う断面図である。
【００７１】
本発明による逆浸透圧フィルタ１０は、逆浸透圧ろ過モジュール１００と、ハウジング２０とを含んでいてもよい。
【００７２】
逆浸透圧ろ過モジュール１００については前述したので、以下では、これについての説明は省略する。
【００７３】
ハウジング２０には、内部に逆浸透圧ろ過モジュール１００が備えられてもよい。
【００７４】
例えば、ハウジング２０は、図７〜図９に示すように、第１ハウジング部材２１と、第２ハウジング部材２２とを含んでいてもよい。そして、逆浸透圧ろ過モジュール１００が、第１ハウジング部材２１と第２ハウジング部材２２とのうちのいずれか一方に挿入された状態で、第１ハウジング部材２１と第２ハウジング部材２２とを互いに連絡することにより、ハウジング２０の内部に逆浸透圧ろ過モジュール１００を備えてもよい。
【００７５】
しかし、逆浸透圧ろ過モジュール１００が内部に備えられるハウジング２０の構成は、特に限定されず、逆浸透圧ろ過モジュール１００が内部に備えられる構成であれば、周知のいずれの構成であってもよい。
【００７６】
ハウジング２０には、逆浸透圧ろ過モジュール１００の第１流路形成キャップ４００の流入孔４１０に連通する流入口２１ａと、逆浸透圧ろ過モジュール１００の浄水排出管２００の浄水排出路２１０の開放された一方の側に連通する浄水排出口２２ａと、第２流路形成キャップ５００の排出孔５１０に連通する生活用水排出口２２ｂとが備えられてもよい。
【００７７】
例えば、図７〜図９に示すように、流入口２１ａは第１ハウジング部材２１に備えられ、浄水排出口２２ａ及び生活用水排出口２２ｂは第２ハウジング部材２２に備えられてもよい。
【００７８】
ハウジング２０の流入口２１ａに流入した原水は、逆浸透圧ろ過モジュール１００の第１流路形成キャップ４００の流入孔４１０を介して、逆浸透圧ろ過モジュール１００の浄水排出管２００に複数回巻き付けられた逆浸透圧ろ過部材３１０の間に形成された所定の流路ＲＴに流入して流動することができる。
【００７９】
逆浸透圧ろ過モジュール１００の浄水排出管２００に複数回巻き付けられた逆浸透圧ろ過部材３１０の間に形成された所定の流路ＲＴに流入した原水の一部は、逆浸透圧ろ過部材３１０を通過して逆浸透圧ろ過部材３１０の浄水流動空間３１１に流動しながら浄水になった後に浄水流動空間３１１を流動することができる。
【００８０】
逆浸透圧ろ過部材３１０の浄水流動空間３１１を流動した浄水は、浄水排出管２００の連通孔２２０を介して浄水排出管２００の浄水排出路２１０に流入して浄水排出路２１０を流動した後、ハウジング２０の浄水排出口２２ａを介して外部に排出されてもよい。
【００８１】
一方、浄水排出管２００に複数回巻き付けられた逆浸透圧ろ過部材３１０の間に形成された所定の流路ＲＴを流動しながら逆浸透圧ろ過部材３１０を通過できなかったためにろ過できなかった残りの原水である生活用水は、流路ＲＴを流動しながら逆浸透圧ろ過部材３１０をフラッシングすることができる。
【００８２】
逆浸透圧ろ過部材３１０をフラッシングした生活用水は、逆浸透圧ろ過部材３１０の第２流路形成キャップ５００の排出孔５１０及びハウジング２０の生活用水排出口２２ｂを介して外部に排出されてもよい。
【００８３】
逆浸透圧ろ過モジュール１００には、ハウジング２０との隙間を密封する密封部材ＯＬが備えられてもよい。これにより、ハウジング２０の流入口２１ａに流入した原水が、逆浸透圧ろ過モジュール１００とハウジング２０との隙間を介してハウジング２０の浄水排出口２２ａ又は生活用水排出口２２ｂに排出されることを防ぐことができる。
【００８４】
このように、密封部材ＯＬだけで逆浸透圧ろ過モジュール１００とハウジング２０との隙間を密封できるので、逆浸透圧ろ過モジュール１００とハウジング２０との間の空きスペースを最小限に抑えることができる。従来の逆浸透圧フィルタ１０では、逆浸透圧ろ過モジュール１００とハウジング２０との間の空きスペースが比較的大きいため、逆浸透圧ろ過モジュール１００とハウジング２０との隙間を密封するために密封部材ＯＬに加えて他の構成要素を必要とした。しかし、本発明の逆浸透圧フィルタ１０では、前述したように逆浸透圧ろ過モジュール１００とハウジング２０との間の空きスペースを最小限に抑えることができるので、ハウジング２０の内部により大きな逆浸透圧ろ過モジュール１００を備えることができる。
【００８５】
以上のように、本発明による逆浸透圧ろ過モジュール及びこれを含む逆浸透圧フィルタによれば、浄水排出管に複数回巻き付けられた逆浸透圧ろ過部材を含む逆浸透圧ろ過部の一方の側と他方の側とにそれぞれ第１及び第２の流路形成キャップを備えることにより、逆浸透圧ろ過部材の間に水が流動する所定の流路を形成することができ、且つ、フラッシング用の水を別途に供給しなくても逆浸透圧フィルタの逆浸透圧ろ過部材をフラッシングすることができ、しかも、逆浸透圧フィルタの寿命を延長させることができる。
【００８６】
以上のように説明した逆浸透圧ろ過モジュール及びこれを含む逆浸透圧フィルタは、上述した実施例の構成が限定的に適用されるものではなく、上記実施例の様々な変形が可能になるように各実施例の全部または一部を選択的に組み合わせて構成することもできる。
【手続補正３】
【補正対象書類名】図面
【補正対象項目名】全図
【補正方法】変更
【補正の内容】
【図１】
2021502886.tif 000016
【図２】
2021502886.tif 000017
【図３】
2021502886.tif 000018
【図４】
2021502886.tif 000019
【図５】
2021502886.tif 000020
【図６】
2021502886.tif 000021
【図７】
2021502886.tif 000022
【図８】
2021502886.tif 000023
【図９】
2021502886.tif 000024
【国際調査報告】
2021502886.tif 000025
2021502886.tif 000026
2021502886.tif 000027
2021502886.tif 000028